(57)【要約】【課題】胸元からの水の浸入を抑制することができる水着を提供すること。【解決手段】襟ぐり部及び左右の袖ぐり部、並びに第１の水浸入抑制部を有する水着であって、上記第１の水浸入抑制部が、上記左右の袖ぐり部を連結するように配置されており、そして上記第１の水浸入抑制部が、水着の素材の１０％伸張時の引張強さを、上記第１の水浸入抑制部がない場合と比較して、少なくとも０．２Ｎ大きくすることを特徴とする水着。【選択図】図６
2010281007.tif 000002
【特許請求の範囲】
【請求項１】
襟ぐり部及び左右の袖ぐり部、並びに第１の水浸入抑制部を有する水着であって、
前記第１の水浸入抑制部が、前記左右の袖ぐり部を連結するように配置されており、そして
前記第１の水浸入抑制部が、水着の布帛の１０％伸張時の引張強さを、前記第１の水浸入抑制部がない場合と比較して、少なくとも０．２Ｎ大きくすることを特徴とする、
前記水着。
【請求項２】
前記第１の水浸入抑制部の形状が、略直線型、略円弧型、略Ｖ字型、略逆Ｖ字型、略Ｕ字型、又はこれらの組み合わせから選択される、請求項１に記載の水着。
【請求項３】
前記第１の水浸入抑制部が、縫製部である、請求項１又は２に記載の水着。
【請求項４】
前記縫製部が、フラットシーマである、請求項３に記載の水着。
【請求項５】
前記第１の水浸入抑制部が、水着の布帛に接着されたポリマーである、請求項１又は２に記載の水着。
【請求項６】
前記第１の水浸入抑制部から股間部及び／又は足先部まで延びる、第２の水浸入抑制部をさらに有する、請求項１〜５のいずれか一項に記載の水着。
【請求項７】
前記袖ぐり部の、頂部から背中部を通って底部に至る範囲に切替部がない、請求項１〜６のいずれか一項に記載の水着。
【請求項８】
足首部までのロングスーツ、膝下までのロングスーツ若しくは膝上までのロングスーツ、又はハイレッグタイプのスーツである、請求項１〜７のいずれか一項に記載の水着。
【発明の詳細な説明】
【技術分野】
【０００１】
本発明は、胸元からの水の浸入を抑制する水浸入抑制部を有する水着に関する。本発明は、さらに、胸元からの水の浸入を防止する水浸入抑制部を有する水着に関する。
【背景技術】
【０００２】
水着、特に競泳用水着の分野では、軽く、吸水率が少なく、そして水に対する抵抗が小さい布帛、例えば、平織りの生地を用いて、体の大部分を覆うタイプの水着が開発されはじめている。当該水着は、伸びにくく、泳者の体型を保持する等の機能を有する。
【０００３】
例えば、特許文献１には、着用時に人の胴の少なくとも一部を覆う胴部分を有する、ストレッチ可能な伸縮性のある生地からなるベース層と、上記ベース層の外面に貼り合わせた複数のパネルとを有する衣服、例えば、水着が開示されている。
【０００４】
上記水着は、大胸筋上部から足首部までを覆うタイプの水着であるが、特に、平泳ぎ等の泳法において、腕を引いて脇をしめる動作等の際に、胸元から水が浸入することが、特に大胸筋の発達した選手で見られることがあった。胸元からの水の浸入は、水の抵抗が増し、泳ぐ速度が遅くなることにつながるので、１００分の１秒を争う競泳の世界では改良することが好ましい。
【０００５】
水着内に水が浸入する問題に対する技術として、特許文献２に、胸部乳房間部位、背中腰椎部位等の着用時に人体表面と間隙を生じる少なくとも一部生地の裏側部位に、人体の表面に沿う形状に弾性体ポリマーを肉盛りすることを特徴とする水着が開示されている。しかし、特許文献２に記載される水着は、肉盛り部により、胸元の隙間を防ぐものであるので、静止時に胸元の隙間を防ぐことができても、泳者の激しい体の動き及び筋肉の膨張には追従することができず、水の浸入を効果的に抑制することができない。
【０００６】
また、特許文献３には、伸縮性織物で形成された材料本体；ならびに材料本体に固定され、かつユーザの体の身体構造上高い点の間の領域を少なくとも部分的に覆うように構成されたサイズおよび形状を有する伸縮性材料片を含む水着が開示されている。しかし、特許文献３に開示される水着は、水着の腹部付近の張力を高くして、体の張出し部を押さえつけるものであって、胸元からの水の浸入を抑制することを目的としていない。
【０００７】
さらに、特許文献４には、伸縮性を有する各種繊維生地材料またはシート生地材料により縫製した女性用水着において、泳時において水流と対向する部分に、泳時の水流と並行となる方向に設けた塩化ビニル、合成ゴム、ポリウレタン及びシリコン等の伸縮性を有する樹脂材によって生地の繊維と密着するように生地の表面に一体成形してなる微細な突条列によって構成した引き締め整流構造と、泳時において水が侵入する開口部分の近傍に位置して、伸縮性ネット生地によって縫製した水抜き構造を構成したことを特徴とする女性用競泳水着が開示されている。
【０００８】
しかし、特許文献４に記載される女性用競泳水着における「引き締め整流構造」は、胸部の整流を目的とするものであり、さらに「水抜き構造」は、水着内に浸入した水を排出するためのものであって、胸元からの水の浸入をある意味容認するものであって、胸元からの水の浸入を抑制することを目的とするものではない。
【先行技術文献】
【特許文献】
【０００９】
【特許文献１】特開２００８−１５０７６７号公報
【特許文献２】特開平６−１０１１０２号公報
【特許文献３】特開２００５−２９９０７０号公報
【特許文献４】特開平−１２０５０７号公報
【発明の概要】
【発明が解決しようとする課題】
【００１０】
以上のように、従来の水着内に水が浸入する問題に関する先行技術は、胸元からの水の浸入を防ぐ目的を有していないか、又は胸元からの水の浸入を防ぐ目的を有するものであっても、体の動きに追従し、効果的に水の浸入を防止できるものではなかった。
従って、本発明は、クロール、背泳ぎ、バタフライ及び平泳ぎの４泳法において、胸元からの水の浸入を抑制することができる水着を提供することを目的とする。
【課題を解決するための手段】
【００１１】
本発明者らは、上記課題を解決するために鋭意検討した結果、襟ぐり部及び左右の袖ぐり部、並びに第１の水浸入抑制部を有する水着であって、上記第１の水浸入抑制部が、上記左右の袖ぐり部を連結するように配置されており、そして上記第１の水浸入抑制部が、水着の布帛の１０％伸張時の引張強さを、上記第１の水浸入抑制部がない場合と比較して、少なくとも０．２Ｎ大きくすることを特徴とする水着により、上記課題を解決できることを見出し、本発明を完成するに至った。
【００１２】
具体的には、本発明は以下の態様に関する。
［態様１］
襟ぐり部及び左右の袖ぐり部、並びに第１の水浸入抑制部を有する水着であって、
上記第１の水浸入抑制部が、上記左右の袖ぐり部を連結するように配置されており、そして
上記第１の水浸入抑制部が、水着の布帛の１０％伸張時の引張強さを、上記第１の水浸入抑制部がない場合と比較して、少なくとも０．２Ｎ大きくすることを特徴とする、
上記水着。
【００１３】
［態様２］
上記第１の水浸入抑制部の形状が、略直線型、略円弧型、略Ｖ字型、略逆Ｖ字型、略Ｕ字型、又はこれらの組み合わせから選択される、態様１に記載の水着。
［態様３］
上記第１の水浸入抑制部が、縫製部である、態様１又は２に記載の水着。
【００１４】
［態様４］
上記縫製部が、フラットシーマである、態様３に記載の水着。
［態様５］
上記第１の水浸入抑制部が、水着の布帛に接着されたポリマーである、態様１又は２に記載の水着。
【００１５】
［態様６］
上記第１の水浸入抑制部から股間部及び／又は足先部まで延びる、第２の水浸入抑制部をさらに有する、態様１〜５のいずれか１つに記載の水着。
［態様７］
上記袖ぐり部の、頂部から背中部を通って底部に至る範囲に切替部がない、態様１〜６のいずれか１つに記載の水着。
［態様８］
足首部までのロングスーツ、膝下までのロングスーツ若しくは膝上までのロングスーツ、又はハイレッグタイプのスーツである、態様１〜７のいずれか１つに記載の水着。
【発明の効果】
【００１６】
本発明の水着は、クロール、背泳ぎ、バタフライ及び平泳ぎの４泳法、特に平泳ぎにおいて、泳者の体の動きに追従することができ、胸元からの水の浸入を抑制することができる。
【図面の簡単な説明】
【００１７】
【図１】図１は、本発明の水着の一態様である、男性用の足首部までのロングスーツの正面図である。
【図２】図２は、本発明の水着の一態様である、男性用の足首部までのロングスーツの左側面図である。
【図３】図３は、本発明に用いられる第１の水浸入抑制部のバリエーションの例を示す図である。
【図４】図４は、本発明に用いられる第１の水浸入抑制部のバリエーションの例を示す図である。
【図５】図５は、本発明に用いられる第２の水浸入抑制部のバリエーションの例を示す図である。
【図６】図６は、実施例１で製造した男性用水着を示す図である。
【図７】図７は、実施例２で製造した女性用水着を示す図である。
【発明を実施するための形態】
【００１８】
本発明の水着について、図面を用いて、以下、詳細に説明する。
図１は、本発明の水着の一態様である、足首部までのロングスーツの正面図であり、そして図２は、上記足首部までのロングスーツの左側面図である。
【００１９】
本発明の水着の布帛としては、水着用として一般的に用いられている布帛、例えば、織物、編物を用いることができるが、織物、特に平織り生地が好ましく、例えば、スピード・インターナショナル社からレーザーパルス（商標）の名称の下で供給されているナイロン７０質量％及びポリウレタン３０質量％から成る平織り生地を用いることができる。
【００２０】
本明細書において、襟ぐり部１には、着用者の首の根本まで覆うような浅いものから、着用者の鎖骨相当部分が露出されるような深いものが含まれる。襟ぐり部１としては、胸元から水の浸入を抑制するために寄与するものであれば特に制限されず、水着分野で通常用いられている仕上げであることができるが、伸縮性を有する仕上げ、特に、ゴム部分を有する仕上げであることが好ましい。
【００２１】
本明細書において、袖ぐり部２は、水着分野で通常用いられている仕上げであることができ、例えば、伸縮性を有する仕上げ、例えば、ゴム部分を有する仕上げであることができる。
【００２２】
本明細書において、「第１の水浸入抑制部」（図１及び図２における第１の水浸入抑制部３）は、泳ぐ際に、襟ぐり部１の大胸筋付近から水が浸入することを抑制する部材を意味する。なお、「水が浸入することを抑制する」の用語には、特に記載がない限り、水が浸入することを防止することも含まれる。
【００２３】
第１の水浸入抑制部３は、左右の袖ぐり部２を連結するように配置され、そして水着の布帛を１０％伸張した場合の引張強さを、第１の水浸入抑制部３がない場合と比較して、少なくとも０．２Ｎ大きくする。上記要件を満足することにより、第１の水浸入抑制部３は、着用者が、平泳ぎ等の泳法において、腕を引いて脇をしめる動作等の際であっても、体にぴったりと張り付いて、胸元への水の浸入を抑制することができる。
【００２４】
従来の水着では、着用時に胸元から水が浸入することを防止することを目的の一つとして、襟ぐり部に伸縮性を持たせることが多いが、脱着時及び着用時に着用者が苦しくない範囲で襟ぐり部に伸縮性を持たせるのみでは、特に、平泳ぎ等の泳法において、腕を引いて脇をしめる動作等の際に、胸元に大きな隙間が生じ、当該隙間に水が浸入することを効果的に抑制することができなかった。
【００２５】
本発明の水着では、水着の布帛の１０％伸張時の引張強さを、第１の水浸入抑制部３がない場合と比較して、少なくとも０．２Ｎ大きくすることができる第１の水浸入抑制部３を、左右の袖ぐり部２を連結するように配置することにより、胸元から水が浸入することを効果的に抑制することができる。
本発明において、１０％伸張時の引張強さを対象とするのは、水着は、一般的に、左右の袖ぐり部の間の布帛が、着用時に１０％程度伸張するように設計されているためである。
なお、第１の水浸入抑制部３は、襟ぐり部１の近くを通ることが好ましい。
【００２６】
本発明に用いられる第１の水浸入抑制部３は、水着の布帛を１０％伸張した場合の引張強さを、第１の水浸入抑制部３がない場合と比較して、少なくとも０．２Ｎ大きくすることができるので、着用者が、平泳ぎ等の泳法において、腕を引いて脇をしめる動作等の際であっても、体にぴったりと張り付いて、胸元への水の浸入を抑制することができる。
【００２７】
本発明に用いられる第１の水浸入抑制部３は、胸元への水の浸入を効果的に防止するためには、水着の布帛を１０％伸張した場合の引張強さを、第１の水浸入抑制部３がない場合と比較して、少なくとも０．３Ｎ大きくすることが好ましく、０．４Ｎ大きくすることがより好ましい。
【００２８】
本発明に用いられる第１の水浸入抑制部３は、脱着のしやすさ及び着用時の息苦しさを考慮すると、水着の布帛を１０％伸張した場合の引張強さは、第１の水浸入抑制部３がない場合と比較して、最大３．０Ｎ大きくすることが好ましく、最大２．０Ｎ大きくすることがより好ましく、そして最大１．５Ｎ大きくすることが好ましい。
さらに、襟ぐり部１が伸縮性を有する場合には、胸元からの水の浸入が、より効果的に抑制される。
【００２９】
水着の布帛を１０％伸張した場合の引張強さは、ＪＩＳ  Ｌ  １０９６の「８．１２  引張強さ及び伸び率」のＢ法に準拠して測定することができる。原則として、ＪＩＳ  Ｌ  １９０６に従うが、異なる点は、以下の通りである。
試料：長さ１５ｃｍ×幅１０ｃｍ
＊第１の水浸入抑制部を有する試料の場合には、第１の水浸入抑制部を中心とし、左右の幅５ｃｍ×長さ１５ｃｍである試料を準備する。
つかみ間隔：１０ｃｍ
引張速度：１００ｍｍ／分
測定：伸び率３０％まで３回伸張し、３回目に測定した値を採用
測定機器としては、定速伸張型引張試験器、例えば、ＯＲＩＥＮ  ＴＥＣ社製のＲＴＣ−１２１０Ａを用いることができる。
【００３０】
第１の水浸入抑制部３の形状は、左右の袖ぐり部２を連結するように配置され且つ胸元からの水の浸入を防ぐような形状であれば、特に制限されないが、例えば、図３及び図４に示すように、略直線型、略円弧型、略Ｖ字型、略逆Ｖ字型、略Ｕ字型、又はこれらの組み合わせから選択される形状を有することができる。
【００３１】
図３（ａ）は、直線型の第１の水浸入抑制部の例である。図３（ｂ）は、円弧型の水浸入抑制部の例である。図３（ｃ）は、Ｖ字型の水浸入抑制部の例である。図３（ｄ）は、略Ｖ字型の水浸入抑制部の例である。図３（ｅ）は、逆Ｖ字型の水浸入抑制部の例である。図３（ｆ）は、略Ｕ字型の水浸入抑制部の例である。図３（ｇ）は、２つのＶ字型を組み合わせた水浸入抑制部の例である。図３（ｈ）は、２つの略Ｖ字型を組み合わせた水浸入抑制部の例である。図３（ｉ）は、２つの逆Ｖ字型を組み合わせた水浸入抑制部の例である。
【００３２】
図４（ａ）は、２つの略逆Ｖ字型を組み合わせた水浸入抑制部の例である。図４（ｂ）は、２つの直線型を組み合わせた水浸入抑制部の例である。図４（ｃ）は、略Ｖ字型及び直線型を組み合わせた水浸入抑制部の例である。図４（ｄ）は、２つの円弧型を組み合わせた水浸入抑制部の例である。図４（ｅ）は、円弧型及び略Ｖ字型を組み合わせた水浸入抑制部の例である。図４（ｆ）は、３つのＶ字型を組み合わせた水浸入抑制部の例である。図４（ｇ）は、２つのＶ字型と、２つの略円弧型とを組み合わせた水浸入抑制部の例である。
【００３３】
第１の水浸入抑制部３は、水着の布帛を１０％伸張した場合の引張強さを、第１の水浸入抑制部３がない場合と比較して、少なくとも０．２Ｎ高くすることができるものであれば、特に制限されないが、例えば、縫製部であることができる。第１の水浸入抑制部３が縫製部である場合には、当該縫製部が、水着のパーツ同士の縫合部を兼ねることができるので好ましい。なお、当該縫製部は、水着のパーツ同士の縫合部を兼ねることができるが、必ずしもパーツ同士の縫合部である必要はなく、引張強さを高めるための縫製であることができる。
【００３４】
縫製部としては、特に制限されず、種々の縫製方法を用いて縫製された縫製部であることができ、例えば、フラットシーマ、例えば、４本針フラットシーマ（両面飾り扁平縫いミシンにより縫製されたもの）、２本針両面飾り扁平縫いミシンにより縫製されたもの、３本針両面飾り扁平縫いミシンにより縫製されたものであることができる。特に、フラットシーマが好ましい。水浸入抑制部の厚みを薄くすることができるからである。
【００３５】
上記縫製部においては、少なくとも１枚の補強用の布帛を共に縫い込んだ縫製部であることができる。補強用の布帛を共に縫い込むことにより、水着の布帛を１０％伸張した場合の引張強さをより大きくすることができる。上記布帛としては、上述の水着の布帛から選択することができる。上記布帛は、水着の布帛と同一であってもよく、又は異なることもできる。
【００３６】
また、第１の水浸入抑制部３は、水着の布帛に接着されたポリマーであってもよい。当該ポリマーは、水着の外側に接着されたものであることができ、又は水着の内側に接着されたものであってもよい。水着の内側に接着される場合には、脱着のしやすさを考慮して、２枚の布帛の間に適用されるホットメルトであることができる。
【００３７】
上記ポリマー又はホットメルトとしては、水着の布帛を１０％伸張した場合の引張強さを、当該ポリマーがない場合と比較して、少なくとも０．２Ｎ大きくするものであれば、特に制限されないが、例えば、ポリウレタン、ポリエステル、アクリル、例えば、エチレンと酢酸ビニルとのコポリマー、ポリオレフィン、ポリアミド、合成ゴム等が挙げられる。
【００３８】
本発明の水着は、図１及び図２に示すように、第１の水浸入抑制部３から、股間部５及び／又は足先部６まで延びる第２の水浸入抑制部４を有することができる。
本明細書において、「第２の水浸入抑制部」は、第１の水浸入抑制部３を足方向に引張ることにより第１の水浸入抑制部３を胸部に押さえつけ、胸元からの水の浸入をより効果的に抑制するための部材を意味する。第２の水浸入抑制部４は、第１の水浸入抑制部３と同一の素材から選択することができるが、第１の水浸入抑制部３とは独立して選択される。
【００３９】
第２の水浸入抑制部４は、第１の水浸入抑制部３の下寄りの部分と連結することが好ましい。また、第２の水浸入抑制部４は、股間部及び／又は足先部まで延びているが、股間部及び足先部の両方に連結していることが、胸元の水の侵入を防止する観点から望ましい。また、第２の水浸入抑制部４は、胸部外延を通ることが好ましい。
【００４０】
図５に、第２の水浸入抑制部４の例を示す。点線部分は、第１の水浸入抑制部３である。また、第２の水浸入抑制部４のうち、足首部に至る部分は、省略した。
【００４１】
本発明の一態様では、本発明の水着はまた、図２に示すように、袖ぐり部２において、頂部７から背中部８を通って底部９に至る範囲に切替部を配置しない。袖ぐり部２において、頂部７から背中部８を通って底部９に至る範囲に切替部を配置しないことによって、着用時に、腕の締め付けを感じにくく、動きにくさを感じない利点がある。
【００４２】
本発明の水着は、水着の表面に、表面摩擦抗力の低減、形状抗力の低減及び／又は水中での安定性の改善をもたらす、特開２００８−１５０７６７号公報に記載されるようなパネルをさらに有することができる。
【００４３】
上記パネルとしては、ポリウレタンが好適であり、好ましくは５０μｍ〜１００μｍ、より好ましくは６０μｍ〜９０μｍ、さらにより好ましくは７０μｍ〜８０μｍの範囲の厚さを有することができ、さらに、上記パネルは、接着層と厚いフィルムの見えがかり層とを有する２層のポリウレタンフィルムであることができる。
【００４４】
本発明の水着は、図１及び図２に示すような足首部までのロングスーツであることができる。また、本発明の水着は、膝下までのロングスーツ又は膝上までのロングスーツであることができる。さらに、本発明の水着は、足部を有しないハイレッグタイプのスーツであることができる。
【実施例】
【００４５】
［実施例１］
布帛として、レーザーパルス（スピード・インターナショナル社製）を用いて、図６に示すような男性用水着を製造した。第１の水浸入抑制部の形状は、Ｖ字型であり、当該Ｖ字型の第１の水浸入抑制部の中心から、左右の袖ぐり部と連結し且つ股間部及び足先部まで延びる第２の水浸入抑制部を有していた。第１の水浸入抑制部は、水着の裏側に補強用の幅１ｃｍのレーザーパルスを当てて縫製したフラットシーマであった。
【００４６】
上記水着の引張強さを、ＯＲＩＥＮ  ＴＥＣ社製のＲＴＣ−１２１０Ａにより、上述のＪＩＳ  Ｌ  １０９６に準拠する試験方法に従って測定した。試料は、レーザーパルスと、フラットシーマを１本有するレーザーパルスであった。レーザーパルスの引張強さは、０．１１Ｎであり、一方、フラットシーマを有するレーザーパルスの引張強さは、０．４８Ｎであった。
【００４７】
複数名の男性競泳選手に上記水着を着用して泳いでもらったところ、特に平泳ぎにおいて、襟ぐり部から水が入りにくいとの報告を得た。
【００４８】
［実施例２］
布帛として、レーザーパルス（スピード・インターナショナル社製）を用いて、図７に示すような女性用水着を製造した。第１の水浸入抑制部の形状は、略円弧型であり、当該略円弧型の第１の水浸入抑制部の中心から、左右の胸部外延を通って股間部及び足先部まで延びる第２の水浸入抑制部を有していた。第１の水浸入抑制部は、水着の裏側に補強用の幅１ｃｍのレーザーパルスを当てて縫製したフラットシーマであった。
【００４９】
上記水着の引張強さをＯＲＩＥＮ  ＴＥＣ社製のＲＴＣ−１２１０Ａにより、上述のＪＩＳ  Ｌ  １０９６に準拠する試験方法に従って測定した。試料は、レーザーパルスと、フラットシーマを１本有するレーザーパルスであった。レーザーパルスの引張強さは、０．１１Ｎであり、一方、フラットシーマを有するレーザーパルスの引張強さは、０．４８Ｎであった。
【００５０】
複数名の女性水泳選手に上記水着を着用して泳いでもらったところ、特に平泳ぎにおいて、襟ぐり部から水が入りにくいとの報告を受けた。
【符号の説明】
【００５１】
１    襟ぐり部
２    袖ぐり部
３    第１の水浸入抑制部
４    第２の水浸入抑制部
５    股間部
６    足先部
７    頂部
８    背中部
９    底部
１０    パネル
【図１】
2010281007.tif 000003
【図２】
2010281007.tif 000004
【図３】
2010281007.tif 000005
【図４】
2010281007.tif 000006
【図５】
2010281007.tif 000007
【図６】
2010281007.tif 000008
【図７】
2010281007.tif 000009
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
襟ぐり部及び左右の袖ぐり部、並びに第１の水浸入抑制部を有する水着であって、
前記第１の水浸入抑制部が、前記左右の袖ぐり部を連結するように配置されており、そして
前記第１の水浸入抑制部が、水着の布帛の１０％伸張時の引張強さを、前記第１の水浸入抑制部がない場合と比較して、少なくとも０．２Ｎ大きくすることを特徴とする、
前記水着。
【請求項２】
前記第１の水浸入抑制部の形状が、略直線型、略円弧型、略Ｖ字型、略逆Ｖ字型、略Ｕ字型、又はこれらの組み合わせから選択される、請求項１に記載の水着。
【請求項３】
前記第１の水浸入抑制部が、縫製部である、請求項１又は２に記載の水着。
【請求項４】
前記縫製部が、フラットシームである、請求項３に記載の水着。
【請求項５】
前記第１の水浸入抑制部が、水着の布帛に接着されたポリマーである、請求項１又は２に記載の水着。
【請求項６】
前記第１の水浸入抑制部から股間部及び／又は足先部まで延びる、第２の水浸入抑制部をさらに有する、請求項１〜５のいずれか一項に記載の水着。
【請求項７】
前記袖ぐり部の、頂部から背中部を通って底部に至る範囲に切替部がない、請求項１〜６のいずれか一項に記載の水着。
【請求項８】
足首部までのロングスーツ、膝下までのロングスーツ若しくは膝上までのロングスーツ、又はハイレッグタイプのスーツである、請求項１〜７のいずれか一項に記載の水着。
【手続補正２】
【補正対象書類名】明細書
【補正対象項目名】０００９
【補正方法】変更
【補正の内容】
【０００９】
【特許文献１】特開２００８−１５０７６７号公報
【特許文献２】特開平６−１０１１０２号公報
【特許文献３】特開２００５−２９９０７０号公報
【特許文献４】特開平８−１２０５０７号公報
【手続補正３】
【補正対象書類名】明細書
【補正対象項目名】００１４
【補正方法】変更
【補正の内容】
【００１４】
［態様４］
上記縫製部が、フラットシームである、態様３に記載の水着。
［態様５］
上記第１の水浸入抑制部が、水着の布帛に接着されたポリマーである、態様１又は２に記載の水着。
【手続補正４】
【補正対象書類名】明細書
【補正対象項目名】００３４
【補正方法】変更
【補正の内容】
【００３４】
縫製部としては、特に制限されず、種々の縫製方法を用いて縫製された縫製部であることができ、例えば、フラットシーム、例えば、４本針フラットシーム（両面飾り扁平縫いミシンにより縫製されたもの）、２本針両面飾り扁平縫いミシンにより縫製されたもの、３本針両面飾り扁平縫いミシンにより縫製されたものであることができる。特に、フラットシームが好ましい。水浸入抑制部の厚みを薄くすることができるからである。
【手続補正５】
【補正対象書類名】明細書
【補正対象項目名】００４５
【補正方法】変更
【補正の内容】
【００４５】
［実施例１］
布帛として、レーザーパルス（スピード・インターナショナル社製）を用いて、図６に示すような男性用水着を製造した。第１の水浸入抑制部の形状は、Ｖ字型であり、当該Ｖ字型の第１の水浸入抑制部の中心から、左右の袖ぐり部と連結し且つ股間部及び足先部まで延びる第２の水浸入抑制部を有していた。第１の水浸入抑制部は、水着の裏側に補強用の幅１ｃｍのレーザーパルスを当てて縫製したフラットシームであった。
【手続補正６】
【補正対象書類名】明細書
【補正対象項目名】００４６
【補正方法】変更
【補正の内容】
【００４６】
上記水着の引張強さを、ＯＲＩＥＮ  ＴＥＣ社製のＲＴＣ−１２１０Ａにより、上述のＪＩＳ  Ｌ  １０９６に準拠する試験方法に従って測定した。試料は、レーザーパルス、及びフラットシームを１本有するレーザーパルスであった。レーザーパルスの引張強さは、０．１１Ｎであり、一方、フラットシームを有するレーザーパルスの引張強さは、０．４８Ｎであった。
【手続補正７】
【補正対象書類名】明細書
【補正対象項目名】００４８
【補正方法】変更
【補正の内容】
【００４８】
［実施例２］
布帛として、レーザーパルス（スピード・インターナショナル社製）を用いて、図７に示すような女性用水着を製造した。第１の水浸入抑制部の形状は、略円弧型であり、当該略円弧型の第１の水浸入抑制部の中心から、左右の胸部外延を通って股間部及び足先部まで延びる第２の水浸入抑制部を有していた。第１の水浸入抑制部は、水着の裏側に補強用の幅１ｃｍのレーザーパルスを当てて縫製したフラットシームであった。
【手続補正８】
【補正対象書類名】明細書
【補正対象項目名】００４９
【補正方法】変更
【補正の内容】
【００４９】
上記水着の引張強さをＯＲＩＥＮ  ＴＥＣ社製のＲＴＣ−１２１０Ａにより、上述のＪＩＳ  Ｌ  １０９６に準拠する試験方法に従って測定した。試料は、レーザーパルス、及びフラットシームを１本有するレーザーパルスであった。レーザーパルスの引張強さは、０．１１Ｎであり、一方、フラットシームを有するレーザーパルスの引張強さは、０．４８Ｎであった。